【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
インターレース方式の入力画像データのフィールド毎に、そのフィールドの画像データの特徴量と、１つ前または１つ後のフィールドである参照フィールドの画像データの特徴量と、の差分を表すフィールド間差分値を取得する取得手段と、
連続する２フィールド間のフィールド間差分値の差と、２フィールド分だけ離れた２フィールド間のフィールド間差分値の差と、に基づいて、前記入力画像データが２−２プルダウン方式で変換された画像データであるか否かを判断する判断手段と、
を有することを特徴とする画像判断装置。
【請求項２】
前記判断手段は、
１つ前または１つ後のフィールドよりもフィールド間差分値が第１閾値以上大きく、且つ、２つ前または２つ後のフィールドとのフィールド間差分値の差が第２閾値以下であるフィールドを、第１フィールドとして検出し、
１つ前または１つ後のフィールドよりもフィールド間差分値が前記第１閾値以上小さく、且つ、２つ前または２つ後のフィールドとのフィールド間差分値の差が前記第２閾値以下であるフィールドを、第２フィールドとして検出し、
前記第１フィールドと前記第２フィールドとが交互に連続する場合に、前記入力画像データが前記２−２プルダウン方式で変換された画像データであると判断し、
それ以外の場合に、前記入力画像データが前記２−２プルダウン方式で変換された画像データでないと判断する
ことを特徴とする請求項１に記載の画像判断装置。
【請求項３】
前記判断手段は、
２フィールド毎のフィールド間差分値が単調増加または単調減少している場合に、
１つ前または１つ後のフィールドよりもフィールド間差分値が前記第１閾値以上大きく、且つ、２つ前または２つ後のフィールドとのフィールド間差分値の差が前記第２閾値以下であるフィールドを、前記第１フィールドとして検出せず、
１つ前または１つ後のフィールドよりもフィールド間差分値が前記第１閾値以上小さく、且つ、２つ前または２つ後のフィールドとのフィールド間差分値の差が前記第２閾値以下であるフィールドを、前記第２フィールドとして検出せず、
２フィールド毎のフィールド間差分値が単調増加も単調減少もしていない場合に、
１つ前または１つ後のフィールドよりもフィールド間差分値が前記第１閾値以上大きく、且つ、２つ前または２つ後のフィールドとのフィールド間差分値の差が前記第２閾値以下であるフィールドを、前記第１フィールドとして検出し、
１つ前または１つ後のフィールドよりもフィールド間差分値が前記第１閾値以上小さく、且つ、２つ前または２つ後のフィールドとのフィールド間差分値の差が前記第２閾値以下であるフィールドを、前記第２フィールドとして検出する
ことを特徴とする請求項２に記載の画像判断装置。
【請求項４】
前記判断手段は、
２つ前または２つ後のフィールドとの間でフィールド間差分値が増加する回数である第１カウント値が第３閾値よりも大きく、且つ、２つ前または２つ後のフィールドとの間でフィールド間差分値が減少する回数である第２カウント値が、前記第３閾値よりも小さい値である第４閾値よりも小さい場合に、２フィールド毎のフィールド間差分値が単調に増加していると判断し、
前記第１カウント値が前記第４閾値よりも小さく、且つ、前記第２カウント値が前記第３閾値より大きい場合に、２フィールド毎のフィールド間差分値が単調に減少していると判断し、
それら以外の場合に、２フィールド毎のフィールド間差分値が単調増加も単調減少もしていないと判断する
ことを特徴とする請求項３に記載の画像判断装置。
【請求項５】
前記判断手段は、
フィールド間差分値が第５閾値以上であり、且つ、２つ前または２つ後のフィールドとのフィールド間差分値の差が第２閾値以下であるフィールドを、第１フィールドとして検出し、
フィールド間差分値が第６閾値以下であり、且つ、２つ前または２つ後のフィールドとのフィールド間差分値の差が前記第２閾値以下であるフィールドを、第２フィールドとして検出し、
前記第１フィールドと前記第２フィールドとが交互に連続する場合に、前記入力画像データが前記２−２プルダウン方式で変換された画像データであると判断し、
それ以外の場合に、前記入力画像データが前記２−２プルダウン方式で変換された画像データでないと判断する
ことを特徴とする請求項１に記載の画像判断装置。
【請求項６】
前記判断手段は、
２フィールド毎のフィールド間差分値が単調増加または単調減少している場合に、
フィールド間差分値が前記第５閾値以上であり、且つ、２つ前または２つ後のフィールドとのフィールド間差分値の差が前記第２閾値以下であるフィールドを、前記第１フィールドとして検出せず、
フィールド間差分値が前記第６閾値以下であり、且つ、２つ前または２つ後のフィールドとのフィールド間差分値の差が前記第２閾値以下であるフィールドを、前記第２フィールドとして検出せず、
２フィールド毎のフィールド間差分値が単調増加も単調減少もしていない場合に、
フィールド間差分値が前記第５閾値以上であり、且つ、２つ前または２つ後のフィールドとのフィールド間差分値の差が前記第２閾値以下であるフィールドを、前記第１フィールドとして検出し、
フィールド間差分値が前記第６閾値以下であり、且つ、２つ前または２つ後のフィールドとのフィールド間差分値の差が前記第２閾値以下であるフィールドを、前記第２フィールドとして検出する、
ことを特徴とする請求項５に記載の画像判断装置。
【請求項７】
前記判断手段は、
２つ前または２つ後のフィールドとの間でフィールド間差分値が増加する回数である第１カウント値が第３閾値よりも大きく、且つ、２つ前または２つ後のフィールドとの間でフィールド間差分値が減少する回数である第２カウント値が、前記第３閾値よりも小さい値である第４閾値よりも小さい場合に、２フィールド毎のフィールド間差分値が単調に増加していると判断し、
前記第１カウント値が前記第４閾値よりも小さく、且つ、前記第２カウント値が前記第３閾値より大きい場合に、２フィールド毎のフィールド間差分値が単調に減少していると判断し、
それら以外の場合に、２フィールド毎のフィールド間差分値が単調増加も単調減少もしていないと判断する
ことを特徴とする請求項６に記載の画像判断装置。
【請求項８】
前記判断手段は、
１つ前または１つ後のフィールドよりもフィールド間差分値が前記第１閾値以上大きく、１つ前または１つ後のフィールドのフィールド間差分値が第７閾値よりも大きく、且つ、２つ前または２つ後のフィールドとのフィールド間差分値の差が前記第２閾値以下であるフィールドを、前記第１フィールドとして検出し、
１つ前または１つ後のフィールドよりもフィールド間差分値が前記第１閾値以上小さく、フィールド間差分値が前記第７閾値よりも大きく、且つ、２つ前または２つ後のフィールドとのフィールド間差分値の差が前記第２閾値以下であるフィールドを、前記第２フィールドとして検出する
ことを特徴とする請求項２〜４のいずれか１項に記載の画像判断装置。
【請求項９】
前記判断手段は、
１つ前または１つ後のフィールドよりもフィールド間差分値が前記第１閾値以上大きく、且つ、１つ前または１つ後のフィールドのフィールド間差分値が第７閾値以下であるフィールドを、前記第１フィールドとしてさらに検出し、
１つ前または１つ後のフィールドよりもフィールド間差分値が前記第１閾値以上小さく、且つ、フィールド間差分値が前記第７閾値以下であるフィールドを、前記第２フィールドとしてさらに検出する
ことを特徴とする請求項２〜４，８のいずれか１項に記載の画像判断装置。
【請求項１０】
前記判断手段は、
フィールド間差分値が前記第５閾値以上であり、１つ前または１つ後のフィールドのフィールド間差分値が第７閾値よりも大きく、且つ、２つ前または２つ後のフィールドとのフィールド間差分値の差が前記第２閾値以下であるフィールドを、前記第１フィールドとして検出し、
フィールド間差分値が前記第６閾値以下であり、フィールド間差分値が前記第７閾値よりも大きく、且つ、２つ前または２つ後のフィールドとのフィールド間差分値の差が前記第２閾値以下であるフィールドを、前記第２フィールドとして検出する
ことを特徴とする請求項５〜７のいずれか１項に記載の画像判断装置。
【請求項１１】
前記判断手段は、
フィールド間差分値が前記第５閾値以上であり、且つ、１つ前または１つ後のフィールドのフィールド間差分値が第７閾値以下であるフィールドを、前記第１フィールドとしてさらに検出し、
フィールド間差分値が前記第６閾値以下であり、且つ、フィールド間差分値が前記第７閾値以下であるフィールドを、前記第２フィールドとしてさらに検出する
ことを特徴とする請求項５〜７，１０のいずれか１項に記載の画像判断装置。
【請求項１２】
前記入力画像データの解像度に応じて前記第７閾値を決定する決定手段をさらに有することを特徴とする請求項８〜１１のいずれか１項に記載の画像判断装置。
【請求項１３】
前記決定手段は、前記入力画像データの解像度が高いほど大きい値を前記第７閾値として決定する
ことを特徴とする請求項１２に記載の画像判断装置。
【請求項１４】
前記判断手段は、
前記第１フィールドと前記第２フィールドとが第８閾値よりも多いフィールド数だけ交互に連続する場合に、前記入力画像データが前記２−２プルダウン方式で変換された画像データであると判断し、
それ以外の場合に、前記入力画像データが前記２−２プルダウン方式で変換された画像データでないと判断する
ことを特徴とする請求項２〜１３のいずれか１項に記載の画像判断装置。
【請求項１５】
前記取得手段は、
前記フィールド間差分値の取得対象のフィールドである対象フィールドに画素が存在する複数の位置の中から、画像の変化がある位置を、対象位置として検出し、
前記対象位置毎に、その対象位置に対してラインに垂直な方向に隣接し、且つ、前記参照フィールドに画素が存在する位置における前記参照フィールドの画素値と、当該対象位置における前記対象フィールドの画素値と、の差分を差分画素値として算出し、
前記差分画素値の総和を、前記対象フィールドのフィールド間差分値として算出することを特徴とする請求項１〜１４のいずれか１項に記載の画像判断装置。
【請求項１６】
前記取得手段は、前記対象フィールドの画素値と、前記対象フィールドの２つ前または２つ後のフィールドの画素値と、の差分が第９閾値以上である位置を、前記対象位置として検出する
ことを特徴とする請求項１５に記載の画像判断装置。
【請求項１７】
前記取得手段は、
前記対象位置に対してラインに垂直な方向に隣接し、且つ、前記参照フィールドに画素が存在する第１位置と第２位置が存在する場合に、
前記第１位置における前記参照フィールドの画素値と、前記対象位置における前記対象フィールドの画素値と、の差分を第１差分画素値として算出し、
前記第２位置における前記参照フィールドの画素値と、前記対象位置における前記対象フィールドの画素値と、の差分を第２差分画素値として算出し、
前記第１差分画素値と前記第２差分画素値のうち大きい方の値を、前記差分画素値として選択する
ことを特徴とする請求項１５または１６に記載の画像判断装置。
【請求項１８】
インターレース方式の入力画像データのフィールド毎に、そのフィールドの画像データの特徴量と、１つ前または１つ後のフィールドである参照フィールドの画像データの特徴量と、の差分を表すフィールド間差分値を取得する取得ステップと、
連続する２フィールド間のフィールド間差分値の差と、２フィールド分だけ離れた２フィールド間のフィールド間差分値の差と、に基づいて、前記入力画像データが２−２プルダウン方式で変換された画像データであるか否かを判断する判断ステップと、
を有することを特徴とする画像判断方法。
【請求項１９】
請求項１８に記載の画像判断方法の各ステップをコンピュータに実行させるためのプログラム。
【手続補正２】
【補正対象書類名】明細書
【補正対象項目名】０００９
【補正方法】変更
【補正の内容】
【０００９】
本発明の第１の態様は、
インターレース方式の入力画像データのフィールド毎に、そのフィールドの画像データの特徴量と、１つ前または１つ後のフィールドである参照フィールドの画像データの特徴量と、の差分を表すフィールド間差分値を取得する取得手段と、
連続する２フィールド間のフィールド間差分値の差と、２フィールド分だけ離れた２フィールド間のフィールド間差分値の差と、に基づいて、前記入力画像データが２−２プルダウン方式で変換された画像データであるか否かを判断する判断手段と、
を有することを特徴とする画像判断装置である。
【手続補正３】
【補正対象書類名】明細書
【補正対象項目名】００１０
【補正方法】変更
【補正の内容】
【００１０】
本発明の第２の態様は、
インターレース方式の入力画像データのフィールド毎に、そのフィールドの画像データの特徴量と、１つ前または１つ後のフィールドである参照フィールドの画像データの特徴量と、の差分を表すフィールド間差分値を取得する取得ステップと、
連続する２フィールド間のフィールド間差分値の差と、２フィールド分だけ離れた２フィールド間のフィールド間差分値の差と、に基づいて、前記入力画像データが２−２プルダウン方式で変換された画像データであるか否かを判断する判断ステップと、
を有することを特徴とする画像判断方法である。
【手続補正４】
【補正対象書類名】明細書
【補正対象項目名】００１１
【補正方法】変更
【補正の内容】
【００１１】
本発明の第３の態様は、上述した画像判断方法の各ステップをコンピュータに実行させるためのプログラムである。